(57)【要約】【課題】Ｘ線造影部材がレントゲン撮影時にレントゲン写真に写りこみやすくするために、ガーゼ本体の経緯方向にクロスしてＸ線造影部材を織り込んだ医療用ガーゼを提案する。また、ガーゼ本体の緯方向に緯Ｘ線造影部材を簡単かつ容易に効率よくかつ自由な配置で編成することができる医療用ガーゼを提案する。【解決手段】経糸１４と緯糸１５により編成されたガーゼ本体１１において、縦方向に１又は複数の経Ｘ線造影部材２１が編成されているとともに、緯方向に１又は複数の緯Ｘ線造影部材２２がエアジェットにより編成されていることを特徴とする。また、ガーゼ本体の経方向の所定間隔位置に緯糸により厚段部１９が形成され、該厚段部で切断され、さらに、ガーゼ本体の緯方向の所定間隔位置に経糸により中耳部１７が形成され、該中耳部で切断されてなる。【選択図】図１
2015096135.tif 000002
【特許請求の範囲】
【請求項１】
経糸と緯糸により編成されたガーゼ本体において、
経方向に１又は複数の経Ｘ線造影部材が編成されているとともに、
緯方向に１又は複数の緯Ｘ線造影部材がエアジェットにより編成されている
ことを特徴とする医療用ガーゼ。
【請求項２】
ガーゼ本体の経糸方向の所定間隔位置に緯糸の疎部分により厚段部が形成され、該厚段部で切断されてなる請求項１に記載の医療用ガーゼ。
【請求項３】
ガーゼ本体の緯糸方向の所定間隔位置に経糸の疎部分により中耳部が形成され、該中耳部で切断されてなる請求項１又は２に記載の医療用ガーゼ。
【発明の詳細な説明】
【技術分野】
【０００１】
本発明は、医療用ガーゼに関し、特にはガーゼ本体の経緯方向にクロスしてＸ線造影部材を織り込んだ医療用ガーゼに関する。
【背景技術】
【０００２】
医療用ガーゼは、手術を行う際に、血液等を吸収したり、鉤で組織を牽引する時に組織の損傷を防ぐために鉤と組織の間に挟んだりする等大量に使用される。手術後にガーゼを体内に遺残することを防ぐため、使用したガーゼを数えてミスを防ぐなどの予防策がとられている。
【０００３】
また、万一ガーゼを体内に遺残してしまった場合のために、添付図面の図４に示すように、ガーゼ本体５１にＸ線造影部材（糸）６０を編み込んだ医療用ガーゼ５０が用いられる。これにより、手術後にレントゲン撮影により体内に遺残しているガーゼを発見することができる。Ｘ線造影糸６０は合成樹脂繊維からなるため、綿糸よりなるガーゼ本体５１から抜け落ちやすい問題があることから、Ｘ線造影糸６０の一側に密に平織してＸ線造影糸を抜け落ちにくくする医療用ガーゼが提案されている（特許文献１参照。）。
【０００４】
従来のこの種の医療用ガーゼ５０では、ガーゼ本体５１の経糸５４方向にＸ線造影部材６０が織り込まれていた。これは、ガーゼ本体５１の緯糸５５を通す際にシャトル（杼）を用いて編成しており、緯糸は端部で折り返す一本の長尺の糸により形成され、このため、ガーゼ本体５１の緯糸５５方向に部分的に一定長のＸ線造影部材を編成することが煩雑ないし困難であることに起因する。経糸５４方向であれば、ビームに配置される経糸５４の一部をＸ線造影部材６０とすることで、簡単にかつ連続的にＸ線造影部材が織り込まれた医療用ガーゼ５０を編成することができるのである。
【０００５】
しかしながら、一方向にのみＸ線造影部材が編み込まれたガーゼは、万一体内に遺残したときに、ガーゼが小さく丸まっていたり、あるいはＸ線造影部材のカメラに対する角度などによっては、レントゲン写真では十分に視認できない恐れがあり、より安全性の高い医療用ガーゼが求められていた。
【先行技術文献】
【特許文献】
【０００６】
【特許文献１】特許第３１３０３５３８号公報
【発明の概要】
【発明が解決しようとする課題】
【０００７】
本発明は前記の点に鑑みなされたものであり、Ｘ線造影部材がレントゲン撮影時にレントゲン写真に写りこみやすくするために、ガーゼ本体の経緯方向にクロスしてＸ線造影部材を織り込んだ医療用ガーゼを提案するものである。本発明は、また、ガーゼ本体の緯方向に緯Ｘ線造影部材を簡単かつ容易に効率よく編成することができる医療用ガーゼを提案するものである。
【課題を解決するための手段】
【０００８】
すなわち、請求項１の発明は、経糸と緯糸により編成されたガーゼ本体において、経方向に１又は複数の経Ｘ線造影部材が編成されているとともに、緯方向に１又は複数の緯Ｘ線造影部材がエアジェットにより編成されていることを特徴とする医療用ガーゼに係る。
【０００９】
請求項２の発明は、ガーゼ本体の経糸方向の所定間隔位置に緯糸の疎部分により厚段部が形成され、該厚段部で切断されてなる請求項１に記載の医療用ガーにゼ係る。
【００１０】
請求項３の発明は、ガーゼ本体の緯糸方向の所定間隔位置に経糸の疎部分により中耳部が形成され、該中耳部で切断されてなる請求項１に記載の医療用ガーゼに係る。
【発明の効果】
【００１１】
請求項１の発明に係る医療用ガーゼは、経糸と緯糸により編成されたガーゼ本体において、経方向に１又は複数の経Ｘ線造影部材が編成されているとともに、緯方向に１又は複数の緯Ｘ線造影部材がエアジェットにより編成されているため、ガーゼ本体の経緯方向にクロスしてＸ線造影部材を織り込んだ医療用ガーゼを提供でき、レントゲン撮影時にレントゲン写真に写りこみやすくすることができるとともに、前記緯Ｘ線造影部材がエアジェットにより射出されているため、緯方向に緯Ｘ線造影部材を簡単かつ容易に効率よく、しかも必要な本数及び自由な配置で編成することができる。
【００１２】
請求項２の発明に係る医療用ガーゼは、ガーゼ本体の経糸方向の所定間隔位置に緯糸の疎部分により厚段部が形成され、該厚段部で切断されてなることより、多量の医療用ガーゼを効率よく製作することができる。
【００１３】
請求項３の発明は、請求項１又は２において、ガーゼ本体の緯糸方向の所定間隔位置に経糸の疎部分により中耳部が形成され、該中耳部で切断されてなることより、多量の医療用ガーゼを効率よく製作することができる。
【図面の簡単な説明】
【００１４】
【図１】本発明の一実施例に係る医療用ガーゼの概略平面図である。
【図２】経Ｘ線造影部材及び緯Ｘ線造影部材を複数有する第二実施例を示す概略平面図である。
【図３】実施例製作に係る原反を示す概略平面図である。
【図４】Ｘ線造影部材を有する従来の医療用ガーゼの概略平面図である。
【発明を実施するための形態】
【００１５】
図１に示すように、医療用ガーゼ１０は、経糸１４と緯糸１５が交互に交差した平織のガーゼ本体１１を有する。経糸１４及び緯糸１５の太さ、ガーゼ本体１１の大きさは特に限定されないが、実施例では、経糸１４及び緯糸１５は綿糸よりなり、共に４０番手（単位重さ約４５３．５ｇあたりの長さが約７６８ｍ×４０）の綿糸が約１２本／ｃｍの密度で平織され、ガーゼ本体１１の大きさは約３０ｃｍ×３０ｃｍに形成される。なお、実施例の医療用ガーゼ１０は、後述するように、大版の原反Fを切断して製造されたもので、緯糸１５方向の側端部１６には中耳部１７が形成され、経糸１４方向の端部１８には厚段部１９が形成されている。
【００１６】
Ｘ線造影部材２０（２１，２２）は、ガーゼ本体１１の経緯方向にクロスして、経糸１４及び緯糸１５と共に一体に織り込まれる。Ｘ線造影部材２０（２１，２２）は、従来公知のものが使用され、例えば、ポリプロピレン樹脂、ポリエステル樹脂、ポリエチレン樹脂、ポリ塩化ビニル樹脂等の合成樹脂繊維に硫酸バリウムが添加されたＸ線造影糸等が挙げられる。
【００１７】
図１に示す医療用ガーゼ１０は、経及び緯方向にそれぞれ経Ｘ線造影部材２１及び緯Ｘ線造影部材２２が１本ずつ織り込まれている。この医療用ガーゼ１０が体内に遺残した場合に、レントゲン撮影を行うと、経Ｘ線造影部材２１と緯Ｘ線造影部材２２とがクロス状に配設されているので、例えば、経Ｘ線造影部材２１がカメラ角度により映り込み難くなっている場合にも、緯Ｘ線造影部材２２がレントゲン写真に映り込み、体内の医療用ガーゼ１０を安全に発見することが可能となる。経Ｘ線造影部材２１と緯Ｘ線造影部材２２とがクロス状に配設されているので、少なくともどちらか一方がレントゲン写真に映り込み遺残したガーゼの発見率が格段と向上する。
【００１８】
図２に示した医療用ガーゼ１０Ａのように、経及び緯Ｘ線造影部材２１，２２を経緯それぞれ２本織り込むことによりレントゲン撮影時にさらに映り込みやすくすることもできる。なお、緯Ｘ線造影部材２１，２２の経緯方向の本数及び位置は必要により自由に選択できる。
【００１９】
ここで、実施例を製造するエアジェット織機について説明すると、緯入れ用ノズルから圧縮空気を噴出して緯糸を射出し、シャフトの間を緯糸が飛走し先端がノズルと逆側の吸引パイプ内に引き込まれることで緯入れを行う。エアジェット織機では、緯糸が通される方向が一方のみであることから、緯糸は一段通される毎に切断される。このため、Ｘ線造影部材を緯糸として織り込む際には、ガーゼ本体の織成工程の所定間隔ないし位置で、公知の手段により、緯糸射出位置に造影糸用ノズルを移動して、Ｘ線造影部材を射出して編成すればよい。
【００２０】
これにより、医療用ガーゼの緯方向に極めて容易に緯Ｘ線造影部材を織り込むことができ、Ｘ線造影部材は原反の側端での折返しによる余剰糸を生じさせないで製作することができるため、極めて効率的にかつＸ線造影部材の本数や位置などを自由に設定できる。緯方向に緯Ｘ線造影部材を複数配設する場合には、造影糸用のノズルを移動させる間隔を変更するだけでよいため、容易に製作することができる。経方向にはビームに架け渡される経糸のうち１又は複数をＸ線造影部材にすることで、医療用ガーゼの経方向に経Ｘ線造影部材を織り込むことができる。
【００２１】
図３に示すように、医療用ガーゼ１０の原反Ｆにおいて、経糸方向に緯糸１５が粗である厚段部１９を形成することで、厚段部１９を切断して複数の医療用ガーゼ１０を製作することができる。また、厚段部１９の両端に緯糸１５を密にした密織部３１や、緯糸１５を絡み織にした絡み織部を形成すると切断後のガーゼをほつれにくくすることができる。
【００２２】
さらに、幅広の織機を用いて横方向に複数枚製作する場合には、所定間隔ごとに経糸１４が粗である中耳部１７を形成し、中耳部１７を切断することにより一度に多量の医療用ガーゼ１０を経済的に製作することができる。実施例では、３０×３０ｃｍを緯糸方向に５枚相当分を並べて製作した。中耳部１７の両端には経糸１４を密にして密織部３２を形成し、ほつれを生じにくくすることができる。
【００２３】
Ｘ線造影部材２０は公知の抜け落ち防止手段を用いることができる。例えば、Ｘ線造影部材２０の両側の経糸及び緯糸を密にしたり、Ｘ線造影部材２０に先述の合成樹脂等繊維と他の糸部材と共に撚糸とされているものを用いて摩擦抵抗を高めてもよい。
【００２４】
この医療用ガーゼ１０は、経糸１４及び緯糸１５よりなるガーゼ本体１１に１又は複数がＸ線造影部材２０が一体に配設される。そのため、別途複雑な工程及び設備を必要とせず極めて容易に製造することが可能である。なお、本発明の医療用ガーゼは、前述の実施例のみに限定されるものではなく、３０×３０ｃｍよりも小さい大きさにしてもよく、吸水性や柔軟性の調整ために糸の番手をより太い又は細いものを使用する等この発明の趣旨を逸脱しない範囲において、構成の一部を適宜に変更して実施することができる。
【符号の説明】
【００２５】
１０，１０Ａ    医療用ガーゼ
１１    ガーゼ本体
１４    経糸
１５    緯糸
１７    中耳部
１９    厚段部
２０    Ｘ線造影部材
２１    経Ｘ線造影部材
２２    緯Ｘ線造影部材
Ｆ    原反
【図１】
2015096135.tif 000003
【図２】
2015096135.tif 000004
【図３】
2015096135.tif 000005
【図４】
2015096135.tif 000006